【事件の表示】
　特許第３１１３４３７号「レンズ付きフイルムユニット」の請求項１、３に係る特許に対する特許異議の申立てについて、次のとおり決定する。
【結　論】
　訂正を認める。
　特許第３１１３４３７号の請求項１、３に係る特許を維持する。
【理　由】
１．手続の経緯
　特許第３１１３４３７号の請求項１、３に係る発明は、平成５年３月３日に特許出願され、平成１２年９月２２日にその発明について特許権の設定登録がなされ、その後、その特許について、特許異議申立人コニカ株式会社により特許異議の申立てがなされ、取消の理由が通知され、その指定期間内である平成１３年１０月９日に訂正請求がなされたものである。
　
２．訂正の適否についての判断
（１）訂正の内容
　特許権者が求めている訂正の内容は以下のａ、ｂのとおりである。
ア．訂正事項ａ
　特許請求の範囲の請求項１に係る記載、「【請求項１】　写真フイルムへの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有するレンズ付きフイルムユニットにおいて、前記露光部とフイルムロール室外壁の最前端部との間で、該フイルムロール室外壁の最前端部よりも後方に、ストロボ装置を構成するプリント基板を配置し、このプリント基板に背面側に突出するように組み付けられた電気部品を該露光部とフイルムロール室外壁との隙間に収めたことを特徴とするレンズ付きフイルムユニット。」を「【請求項１】　写真フイルムへの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有し、背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置が組み込まれたレンズ付きフイルムユニットにおいて、前記露光部とフイルムロール室外壁の最前端部との間で、該フイルムロール室外壁の最前端部よりも後方に、プリント基板を配置し、このプリント基板の背面側に組み付けられた電気部品を該露光部とフイルムロール室外壁との隙間に収めたことを特徴とするレンズ付きフイルムユニット。」と訂正する。
イ．訂正事項ｂ
　特許請求の範囲の請求項３に係る記載、「【請求項３】　前記ストロボ装置は、放電管と、反射傘と、拡散板と、これらを組み込んで保持するプラスチック製の保持枠とからなる発光ユニットを含み、プリント基板の面方向に突出するように該発光ユニットをプリント基板の端縁に取り付ける取り付け手段を該保持枠に設けたことを特徴とする請求項１または２記載のレンズ付きフイルムユニット。」を「【請求項３】　前記ストロボ発光部は、放電管と、反射傘と、拡散板と、これらを組み込んで保持するプラスチック製の保持枠とからなる発光ユニットであり、プリント基板の面方向に突出するように該発光ユニットをプリント基板の端縁に取り付ける取り付け手段を該保持枠に設けたことを特徴とする請求項１または２記載のレンズ付きフイルムユニット。」と訂正する。
　
（２）訂正の目的の適否、新規事項の有無、及び特許請求の範囲の拡張・変更の存否
　上記訂正事項ａは、訂正前の請求項１の前提部分に記載されたレンズ付きフィルムユニットの構成に、「背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置」を追加することで、より下位概念に限定しようとするものであるから、特許請求の範囲の減縮を目的とした明細書の訂正に該当し、新規事項の追加に該当せず、また、実質上特許請求の範囲を拡張し、又は変更するものでもない。
　また、上記訂正事項ｂは上記訂正事項ａの訂正に伴い、請求項３の記載を適合させるものであるから、明瞭でない記載の釈明を目的とする明細書の訂正に該当し、新規事項の追加に該当せず、また、実質上特許請求の範囲を拡張し、又は変更するものでもない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項の規定に適合するので、当該訂正を認める。
　
３．特許異議申立てについての判断
（１）特許異議申立ての理由の概要
　特許異議申立人コニカ株式会社は、特許第３１１３４３７号の
（１−１）請求項１、３に係る発明は、甲第１号証に記載された発明であって、特許法第２９条第１項第３号に該当し特許を受けることができないものである。
（１−２）請求項１、３に係る発明は、甲第１号証の記載に基づいて当業者が容易に発明をすることができたものであって、特許法第２９条第２項の規定に該当し、特許を受けることができないものである旨主張している。
　
（２）本件発明
　特許第３１１３４３７号の請求項１、３に係る発明（以下、それぞれ「本件発明１」、「本件発明３」という。）は、平成１３年１０月９日付けの訂正明細書の特許請求の範囲の請求項１、３に記載された事項により特定される次のとおりのものである。
　請求項１「写真フイルムへの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有し、背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置が組み込まれたレンズ付きフイルムユニットにおいて、前記露光部とフイルムロール室外壁の最前端部との間で、該フイルムロール室外壁の最前端部よりも後方に、プリント基板を配置し、このプリント基板の背面側に組み付けられた電気部品を該露光部とフイルムロール室外壁との隙間に収めたことを特徴とするレンズ付きフイルムユニット。」
　請求項３「前記ストロボ発光部は、放電管と、反射傘と、拡散板と、これらを組み込んで保持するプラスチック製の保持枠とからなる発光ユニットであり、プリント基板の面方向に突出するように該発光ユニットをプリント基板の端縁に取り付ける取り付け手段を該保持枠に設けたことを特徴とする請求項１または２記載のレンズ付きフイルムユニット。」
　
（３）引用刊行物
刊行物１：特開平５−４５７０５号公報（甲第１号証）
　
（４）刊行物に記載された発明
　刊行物１には、次の事項が記載されている。
「少くともレンズ、絞り、シャッター、シャッターボタン、巻上機構、フィルム室、巻取室、ファインダー及びフィルムを装着した本体とカバーとからなるフィルム一体型カメラにおいて、該カメラと着脱可能に設けたアダプターにストロボと電源電池と該ストロボのON，OFFスイッチを設けたことを特徴とするフィルム一体型カメラ。」（【特許請求の範囲】）
「【実施例】本発明の一実施例を図１の分解斜視図及び図２の外観斜視図を用いて説明する。フィルム収納カートリッジをもつボディー１０には巻上機構１３が組立てられ、光学ユニット基台２１が取付けられ、更に、レンズ２０Ａ及び図示していないシャッター及び絞りからなる光学ユニット２３が取付けられる。そして、更にファインダー３０Ｂを有する前カバー３１がかぶせられる。また、シャッターボタン３０Ｃが設けられている。このような状態でフィルム１１がパトローネと共に暗室中でボディー１０のフィルム室１５及び巻取室１６に収容されて裏カバー１２がかぶせられて密閉される。また、ボディー１０の下部のスペースにはストロボ発光用の昇圧機構４０が設けられ、それにトランス４１、レリーズ同期スイッチ４２、コンデンサー４３が内蔵されている。そしてフィルム一体型カメラ本体１００ができ上がる。この実施例で好ましい実施態様としてはパトローネとフィルム以外はすべて合成樹脂である。一方ストロボ発光部２２Ａ、ストロボ接続コネクター２２Ｂ、電源電池２２Ｄ、ストロボのON，OFFスイッチ２２Ｅを含むストロボユニット２２を内蔵して、アダプター１２２が構成されている。」（【０００６】〜【００１１】）
　また、刊行物１の図１の記載からストロボ発光用の昇圧機構４０がボディ１０の下部のスペース及びフィルム室１５と光学ユニット基台２１との間、さらに、フィルム室１５の上部に配置されていることが記載されているものと認められる。（図番２３は刊行物１の【０００７】に光学ユニットと記載されているが、【０００７】には光学ユニットは「レンズ２０Ａ及び図示していないシャッター及び絞りからなる」と記載されていることから光学ユニットはレンズ２０Ａやレンズ２０Ａが取り付けられている光学ユニット基台２１を含む構成を指すものと認められ、また、図番２３で示された部材上またはその付近に図番４１、４２、４３が示されており、これら４１、４２、４３はストロボ発光用の昇圧機構４０に内蔵されている部材であることから、刊行物１の図番２３で示された部材はストロボ発光用の昇圧機構４０であると認められる。）
　
　上記記載からみて、刊行物１には「フィルム室１５と巻取室１６が形成されたボディー１０と、ボディー１０に取付けられたレンズ２０Ａ及び図示していないシャッター及び絞りからなる光学ユニットと、ボディー１０の下部のスペース及びフィルム室１５と光学ユニット基台２１との間、さらに、フィルム室１５の上部に配置され、トランス４１、レリーズ同期スイッチ４２、コンデンサー４３が内蔵されたストロボ発光用の昇圧機構４０とからなるフィルム一体型カメラにおいて、該カメラと着脱可能に設けたアダプター１２２にストロボ発光部２２Ａ、ストロボ接続コネクター２２Ｂ、電源電池２２Ｄ、ストロボのＯＮ，ＯＦＦスイッチ２２Ｅを含むストロボユニット２２を内蔵した」こと（以下、「引用発明」という。）が記載されているものと認められる。
　
（５）対比・判断
（５−１）特許異議申立ての理由（１−１）について
　引用発明に記載された「ボディー１０」、「レンズ２０Ａ及び図示していないシャッター及び絞りからなる光学ユニット」及び「フィルム一体型カメラ」は、それぞれ本件発明１の「本体基部」、「写真フイルムに露光を与える露光部」及び「レンズ付きフイルムユニット」に相当する。また、刊行物１には「フィルム１１がパトローネと共に暗室中でボディー１０のフィルム室１５及び巻取室１６に収容され」と記載されており、通常フィルム一体型カメラは撮影済のフィルムをパトローネに巻き取っていくのが普通であるから、引用発明の「巻取室１６」は本件発明１の「パトローネを収納するパトローネ収納室」に、また「フィルム室１５」は本件発明１の「ロール状にした写真フイルムを収納するフイルムロール室」にそれぞれ相当する。さらに、刊行物１にはフィルム一体型カメラが写真フィルムへの露光範囲を決めるアパーチャーを有することや、アパーチャーの背後に位置した写真フィルムに露光部により露光を与えることの記載は特にないが、そのような記載がなくともこれらの構成をフィルム一体型カメラが有することは当業者にとって自明なことであり、光学ユニットはボディーの前面側に設けられることも特に記載がなくとも当業者にとって自明なことである。また、刊行物１の図１にはフィルム室１５と巻取室１６は光学ユニットを挟むように設けることが記載されているから、フィルム室１５と巻取室１６は光学ユニットの背後に位置するアパーチャーを挟む一方の側と他方の側とに設けられているといえる。そうすると両者は、
「写真フイルムへの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有するレンズ付きフイルムユニット」で一致し、
（１）本件発明１は、「背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置が組み込まれたレンズ付きフイルムユニット」であるのに対し、引用発明にはプリント基板が記載されておらず、ストロボ発光部を有するストロボユニットはカメラと着脱可能に設けたアダプターに内蔵されている点（以下、「相違点１」という。）
（２）本件発明１は、「露光部とフイルムロール室外壁の最前端部との間で、該フイルムロール室外壁の最前端部よりも後方に、プリント基板を配置し、このプリント基板の背面側に組み付けられた電気部品を該露光部とフイルムロール室外壁との隙間に収めた」のに対し、引用発明にはそのような記載がない点（以下、「相違点２」という。）で相違する。
　
　そこで、上記相違点１、２について検討する。
　相違点１について、引用発明には「ボディー１０の下部のスペースにはストロボ発光用の昇圧機構４０が設けられ、それにトランス４１、レリーズ同期スイッチ４２、コンデンサー４３が内蔵されている」ことが記載されており、トランスは本件発明１の電気部品に相当するから、昇圧機構４０には電気部品やコンデンサが組み付けられているといえる。そうすると、昇圧機構４０はプリント基板に相当する構成であるといえるが、ストロボの電源となる電源電池２２Ｄの電池用接片やストロボ発光部２２Ａはボディーとは別体のアダプター１２２に内蔵されたストロボユニット２２に設けられているからこの点で本件発明と引用発明とを同一とすることはできない。
　相違点２について、上記相違点１で述べたように引用発明の昇圧機構４０はプリント基板に相当する構成ということができ、電気部品に相当するトランスを組み付けるのは表面側か背面側の何れかであるから、背面側に組み付けた点は単なる設計事項にすぎないことである。しかし、昇圧機構を露光部とフィルム室外壁の最前端部との間で、フィルム室外壁の最前端部よりも後方に配置することや、背面側に組み付けられた電気部品を露光部とフィルム室外壁との隙間に納めることは刊行物１には何等記載又は示唆されておらず、この点でも本件発明と引用発明とを同一とすることはできない。
　また、本件発明３は本件発明１を直接または間接的に引用しているので、本件発明３についても上記本件発明１について述べた理由と同様の理由により同一とすることはできない。
　
（５−２）特許異議申立ての理由（１−２）について
　本件発明１と引用発明との一致点・相違点は上記（５−１）で述べた通りである。
　そこで、上記相違点１、２について検討する。
　相違点１について、引用発明には「ボディー１０の下部のスペースにはストロボ発光用の昇圧機構４０が設けられ、それにトランス４１、レリーズ同期スイッチ４２、コンデンサー４３が内蔵されている」ことが記載されており、トランスは本件発明１の電気部品に相当するから、昇圧機構４０には電気部品やコンデンサが組み付けられているといえる。そうすると、昇圧機構４０はプリント基板に相当する構成であるといえるが、引用発明はストロボの電源となる電源電池２２Ｄの電池用接片やストロボ発光部２２Ａはボディーとは別体のアダプター１２２に内蔵されたストロボユニット２２に設けられており、該別体の構成とすることにより電池２２Ｄが安全にアダプター１２２から安心して取り出せるようになったものであるから、別体のアダプターに設けた構成を昇圧機構４０側に設けてストロボ装置がフィルム一体型カメラに組み込まれた構成とすることを引用発明から容易に想到し得たとすることはできない。
　相違点２について、上記相違点１で述べたように引用発明の昇圧機構４０はプリント基板に相当する構成ということができ、電気部品に相当するトランスを組み付けるのは表面側か背面側の何れかであるから、特に背面側に組み付けた点は設計事項にすぎないことである。しかし、昇圧機構を露光部とフィルム室外壁の最前端部との間で、フィルム室外壁の最前端部よりも後方に配置することや、背面側に組み付けられた電気部品を露光部とフィルム室外壁との隙間に納めることは刊行物１には何等記載又は示唆されていない。そして、本件発明１は該刊行物１に記載又は示唆されていない構成を有することにより、ストロボ装置の近傍の前後方向の厚みを薄型化することができるという効果を奏するのであるから、この点についても当業者が容易に想到し得たとすることはできない。
　また、本件発明３は本件発明１を直接または間接的に引用しているので、本件発明３についても当業者が容易に想到し得たとすることはできない。
　
（６）むすび
　以上のとおりであるから、特許異議申立ての理由及び証拠によっては、本件発明１、３についての特許を取り消すことはできない。
　また、他に本件発明１、３についての特許を取り消すべき理由を発見しない。
　したがって、本件発明についての特許は拒絶の査定をしなければならない特許出願に対してされたものと認めない。
　よって、結論のとおり決定する。
【異議決定日】
平成１３年１０月３１日（２００１．１０．３１）
【訂正の要旨】
　【訂正の要旨】
訂正事項ａ
　特許請求の範囲の請求項１に係る記載、「【請求項１】　写真フイルムヘの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有するレンズ付きフイルムユニットにおいて、前記露光部とフイルムロール室外壁の最前端部との間で、該フイルムロール室外壁の最前端部よりも後方に、ストロボ装置を構成するプリント基板を配置し、このプリント基板に背面側に突出するように組み付けられた電気部品を該露光部とフイルムロール室外壁との隙間に収めたことを特徴とするレンズ付きフイルムユニット。」を「【請求項１】　写真フイルムヘの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有し、背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置が組み込まれたレンズ付きフイルムユニットにおいて、前記露光部とフイルムロール室外壁の最前端部との間で、該フイルムロール室外壁の最前端部よりも後方に、プリント基板を配置し、このプリント基板の背面側に組み付けられた電気部品を該露光部とフイルムロール室外壁との隙間に収めたことを特徴とするレンズ付きフイルムユニット。」と訂正する。
訂正事項ｂ
　特許請求の範囲の請求項３に係る記載、「【請求項３】　前記ストロボ装置は、放電管と、反射傘と、拡散板と、これらを組み込んで保持するプラスチック製の保持枠とからなる発光ユニットを含み、プリント基板の面方向に突出するように該発光ユニットをプリント基板の端縁に取り付ける取り付け手段を該保持枠に設けたことを特徴とする請求項１または２記載のレンズ付きフイルムユニット。」を「【請求項３】　前記ストロボ発光部は、放電管と、反射傘と、拡散板と、これらを組み込んで保持するプラスチック製の保持枠とからなる発光ユニットであり、プリント基板の面方向に突出するように該発光ユニットをプリント基板の端縁に取り付ける取り付け手段を該保持枠に設けたことを特徴とする請求項１または２記載のレンズ付きフイルムユニット。」と訂正する。
（５４）【発明の名称】
レンズ付きフイルムユニット
（５７）【特許請求の範囲】
　【請求項１】　写真フイルムヘの露光範囲を決めるアパーチャーが設けられるとともに、このアパーチャーを挟む一方の側にロール状にした写真フイルムを収納するフイルムロール室が、他方の側にパトローネを収納するパトローネ収納室が形成された本体基部と、この本体基部の前面側に設けられ、前記アパーチャーの背後に位置した写真フイルムに露光を与える露光部とを有
し、背面側に突出するように電気部品が組み付けられたプリント基板と、このプリント基板に電気的に接続されたコンデンサと、該プリント基板に電気的に接続され、ストロボ装置の電源となる電池に接続するための電池用接片と、該プリント基板に電気的に接続された発光管を有するストロボ発光部とからなるストロボ装置が組み込まれた
　前記露光部とフイルムロール室外壁の最前端部との間で、該フイルムロール室外壁の最前端部よりも後方に
、プ
の背面側に
　【請求項２】　前記プリント基板に形成された接点部を短絡させてストロボ充電を開始させる接片を金属薄板から形成し、前記フイルムロール室外壁の最前端部を挟んでプリント基板の反対側で、該フイルムロール室外壁の最前端部よりも後方の位置に接片の一端を取り付け、該接片をフイルムロール室外壁の最前端部の前を通過させ、フイルムロール室外壁の最前端部よりも後方で接点部に接片の他端を対面させたことを特徴とする請求項１記載のレンズ付きフイルムユニット。
　【請求項３】　前記ストロボ
発光部
であり
【発明の詳細な説明】
　【０００１】
　【産業上の利用分野】
　本発明はレンズ付きフイルムユニットに関し、更に詳しくはレンズ付きフイルムユニットに内蔵されるストロボ装置に関するものである。
　【０００２】
　【従来の技術】
　フイルムを内蔵した容器に簡単な撮影機構を組み込んで低価格で提供されているレンズ付きフイルムユニットの中には、ストロボ装置を備えたレンズ付きフイルムユニット（商品名「写ルンです　フラッシュ」等）がある。このようなレンズ付きフイルムユニットは、その厚みがパトローネ付きの１３５フイルムの直径を僅かに上回る程度となっており、携帯性の向上が図られていた。さらに、パトローネ付きの１３５フイルムを用いているから現行の写真プリンタを用いてローコストでプリント写真を提供できる。しかしながら、最近カメラの大きさもクレジットカードサイズやタバコサイズを目標に開発が進められており、前述したフイルムユニットのコンパクト化の向上が望まれていた。
　【０００３】
　また、レンズ付きフイルムユニットに用いられるストロボ装置は、可能な限りローコストである必要からストロボ装置の構造を簡略化し、さらに、大量生産によりコストダウンを図ることが望まれている。また、上記コンパクト化の流れに合わせ、レンズ付きフイルムユニットの限られたスペース内にストロボ装置を設けるために、可能な限り小型化することも必要である。
　【０００４】
　図４は、ストロボ内蔵レンズ付きフイルムユニットの分解斜視図である。ユニット本体２は、撮影レンズやシャッタ機構等を組み込んだ露光ユニット３やストロボユニット４等が取り付けられる本体基部５と、その前面に被せられる前カバー６と、本体基部５の背面に被せられる後カバー７と、ユニット本体２に収納されるパトローネ付きフイルム８とから構成されている。ストロボユニット４は、放電管，拡散板，反射板，保持部材等からなる発光ユニット９と、コンデンサ等のストロボ回路を形成する電気部品１０と、これらを取り付けるプリント基板１１とから構成されている。また、図示されてはいないが、ストロボ装置の電源となる乾電池や乾電池の接片もストロボユニット４に含まれる。
　【０００５】
　上記ストロボユニット４は本体基部５に取り付けられるが、図に示すように、その取付け位置は同じく本体基部５に取り付けられる露光ユニット３の右側であり、本体基部５に形成された未露光の写真フイルムを収納するフイルムロール室１２の外壁前面である。発光部９とコンデンサ１０とはフイルムロール室１２の上部に収められ、プリント基板１１は基板に形成された開口１３に本体基部５の爪１４を係合させて本体基部５に保持されている。このストロボ装置に充電を開始する充電スイッチ１５は、前カバー６に形成されており、この充電スイッチ１５の裏側には金属薄板製の接片１６が取り付けられて、プリント基板１１に形成された２か所の導電面１７を短絡させることによって行なっている。その後、シャッタボタンを押すと、撮影と同時にストロボ発光が行なわれる。
　【０００６】
　【発明が解決しようとする課題】
　上記レンズ付きフイルムユニットは、小型化という観点からすると不十分なものである。レンズ付きフイルムユニットを最小に小型化するとき、特に薄型化において寸法を規制するのは、パトローネを収納するパトローネ収納室又はフイルムロール室＋ストロボ装置を加算した寸法である。本出願人による特願平３−２２８２８７号明細書では、パトローネ収納室以外を薄型化し、突出するパトローネ収納室を撮影時のグリップとしたことによりパトローネ収納室の問題を解決している。しかしながら、ストロボユニットをフイルムロール室の前面に配置しているため、パトローネ収納室以外の部分は薄型化されていなかった。また、プリント基板上に配置されるストロボ充電用の接片や発光ユニットが、レンズ付きフイルムユニットの薄型化をさらに阻害していた。
　【０００７】
　本発明は上記問題点を考慮してなされたもので、ストロボ装置を構成するプリント基板の配置を変更し、薄型化を可能としたレンズ付きフイルムユニットを提供することを目的とする。
　【０００８】
　【課題を解決するための手段】
　上記目的を達成するために、請求項１記載の発明は、露光部とフイルムロール室外壁の最前端部との間で、該フイルムロール室外壁の最前端部よりも後方に、ストロボ装置を構成するプリント基板を配置し、このプリント基板の背面側に突出するように組み付けられた電気部品を該露光部とフイルムロール室外壁との隙間に収めたものである。
　【０００９】
　また請求項２記載の発明は、プリント基板に形成された接点部を短絡させてストロボ充電を開始させる接片を金属薄板から形成し、フイルムロール室外壁の最前端部を挟んでプリント基板の反対側で、該フイルムロール室外壁の最前端部よりも後方の位置に接片の一端を取り付け、該接片をフイルムロール室外壁の最前端部の前を通過させ、フイルムロール室外壁の最前端部よりも後方で接点部に接片の他端を対面させたものである。
　【００１０】
　また、請求項３記載の発明は、放電管と、反射傘と、拡散板と、これらを組み込んで保持するプラスチック製の保持枠とからなるストロボ装置の発光ユニットにおいて、プリント基板の面方向に突出するように発光ユニットをプリント基板の端縁に取り付ける取り付け手段を保持枠に設けたものである。
　【００１１】
　【実施例】
　本発明のレンズ付きフイルムユニットを分解した状態を示す図２において、ユニット本体２０は、本体基部２１と露光ユニット２２とストロボユニット２３と、これらの前後に被せられる前カバー２４，後カバー２５及びパトローネ付きフイルム２６（図１参照）とから構成されている。
　【００１２】
　本体基部２１は樹脂の一体成形により作られており、パトローネを収納するパトローネ収納室２１ａと、フイルムをロール状に収納するフイルムロール室２１ｂとが設けられている。パトローネ収納室２１ａはフイルムロール室２１ｂに比べ、僅かに前面側へ突出している。また、背面側にはフイルムの露光範囲を決定するアパーチャーが露呈している。パトローネ収納室２１ａの上部には、パトローネの巻芯と係合するローレット軸が設けられた巻き上げノブ２７が配設されている。巻き上げノブ２７は図中の矢印方向に回動操作することによって、撮影済みのフイルムをパトローネ内に巻き上げる方向に巻芯を回転させる。なお、この本体基部２１には、後に詳述する露光ユニット２２とストロボユニット２３とが組み込まれる。
　【００１３】
　前カバー２４には、撮影窓２４ａやファインダー対物窓２４ｂ，シャッタボタン２４ｃストロボ発光部用開口２４ｄ，ストロボ充電スイッチ２４ｅ等が形成されている。そして前カバー２４にはパトローネ収納室２１ａの突出に合わせた突出部２４ｇが形成されており、この突出部２４ｇは撮影時にグリップとなる。
　【００１４】
　後カバー２５は、アパーチャーに対面する部分にフイルム支持面２５ａが形成されており、その底面側にパトローネ収納室２１ａとフイルムロール室２１ｂとの底面を覆うプルトップ式の蓋２５ｂ，２５ｃとがそれぞれ設けられている。蓋２５ｂは、露光済フイルムを収納したパトローネを取出すときの取出し蓋となる。
　【００１５】
　露光ユニット２２は、枚数表示板，係止レバー，シャッタ駆動レバー，シャッタ羽根，従動スプロケット等からなるフイルム巻き上げ機構及びシャッタ機構と、撮影レンズ，接眼ファインダレンズ等が組み込まれている。露光ユニット２２は本体基部２１の前面に突出して設けられた遮光筒２１ｄの前面に着脱自在に取り付けられ、この露光ユニット２２と遮光筒２１ｄとで、写真フイルムに露光を行う露光部を構成する。
　【００１６】
　図３に示すように、ストロボユニット２３は、プリント基板２８と発光ユニット２９とから構成されている。プリント基板２８には、ストロボ回路を構成するコンデンサ３０等からなる電気部品と、露光ユニット２２のシャッタ機構によってオンされる発光スイッチ３１と、ストロボ装置の電源となる乾電池を接続するための接片３２ａ，３２ｂとが取り付けられている。接片３３（図２参照）は、ストロボ充電スイッチ２４ｅが操作された際に、プリント基板２８の導電面を露呈させた接点部２８ａ，２８ｂに接触して短絡させ、ストロボ充電を開始させる。接片３３は、金属薄板にて形成されており、箱状に折り曲げられた一端がフイルムロール室２１ｂの外壁に設けられた溝２１ｃに嵌入されて、本体基部２１に取り付けられる。溝２１ｃは、フイルムロール室２１ｂの外壁最前端部よりも後方に配置されているので、レンズ付きフイルムユニットの薄型化に影響を及ぼさない。接片３３の他端は、フイルムロール室２１ｃの最前端部の前を通り、フイルムロール室２１ｂの外壁最前端部よりも後方で、プリント基板２８に対面する。接片３３のフイルムロール室２１ｂの最前端部の前に配置される部分は、折り曲げられずに薄板のままなので、レンズ付きフイルムユニットの薄型化を阻害することはない。
　【００１７】
　発光ユニット２９は、拡散板３４と反射傘，放電管（図示せず）と、これらを保持する樹脂製の保持枠３５とから構成されている。反射傘と放電管は、保持枠３５の内部に保持され、拡散板３４は保持枠３５の爪３５ａと係合されることによって前面から取り付けられている。この発光ユニット２９のプリント基板２８への取付けは、保持枠３５に設けられた取り付け手段によって行う。取り付け手段は、保持枠３５の側面に形成された突条からなる支持片３６と突片３７，３８とからなり、これらの間にプリント基板２８を挟み、突片３７，３８の先端に設けられたフック爪３７ａ，３８ａをプリント基板２８に形成された開口３９，４０に係合させる。発光ユニット２９は、プリント基板２８の面方向に突出するように、プリント基板２８の端縁に取り付けられる。これにより、プリント基板と発光ユニットとが前後方向で重なり合わないので、発光ユニット２９の近傍を薄型化することができる。また、保持枠２８の上部に設けられた突片４１ａ，４１ｂは、発光ユニット２９の背後に位置するコンデンサ３０を支持するものである。
　【００１８】
　ユニット本体２０の断面図である図１に示すように、プリント基板２８は、遮光筒２１ｄの側面とフイルムロール室外壁の最前端部との間で、フイルムロール室外壁の最前端部よりも後方に配置される。電気部品４２は、プリント基板２８の本体基部２１側の面に取り付けられているので、遮光筒２１ｄとフイルムロール室２１ｂとの間に納まる。これにより、ストロボユニット２３の取り付け部分のレンズ付きフイルムユニットの厚みを薄型化することができる。ストロボユニット２３の本体基部２１への取り付けは、本体基部２１に設けられた爪２１ｅとプリント基板２８に形成された開口４３とを係合させ、保持部材３５の下部に設けられた長穴４４ａと穴４４ｂとをフイルムロール室２１ｂの外壁前面に形成した突起４５，４６に係合させ、フイルムロール室２１ｂの外面に形成された突条４７にプリント基板２８の端縁を載置することによって行なっている。プリント基板２８に取り付けられる電気部品のうち、最も大きい充電用のコンデンサ３０は発光ユニット２９の背後に配置される。この発光部２９とコンデンサ３０は、プリント基板２８から突出しているので、フイルム収納室２１ｂの上部に納められる。
　【００１９】
　なお、前述した実施例では、パトローネ収納室側の該ユニットの前面を突出させてグリップとしているが、前面側を面一にして背面側を突出させてグリップとしてもよい。
　【００２０】
　【発明の効果】
　上述したように、本発明のレンズ付きフイルムユニットは、露光部の側面とフイルムロール室外壁の最前端部との間で、フイルムロール室外壁の最前端部よりも後方にストロボ装置を構成するプリント基板を配置し、このプリント基板に組み付けられた電気部品を該露光部とフイルムロール室外壁との隙間に配置したので、ストロボ装置の近傍の前後方向の厚みを薄型化することができる。また、ストロボ装置の充電を開始させる接片は、フイルムロール室外壁の最前端部を挟むプリント基板の反対側のフイルムロール室外壁に一端を取り付け、該接片の他端をフイルムロール室外壁の最前端部の前を通って接点部に対面させたので、充電スイッチの近傍の厚みを薄型化することができる。更に、発光ユニットをプリント基板の面方向に突出するようにプリント基板の端縁に取り付けたので、発光ユニット近傍の厚みを薄型化することができる。
【図面の簡単な説明】
　【図１】
　本発明のレンズ付きフイルムユニット示す要部断面図である。
　【図２】
　本発明のレンズ付きフイルムユニットを示す分解斜視図である。
　【図３】
　ストロボユニットの外観を示す斜視図である。
　【図４】
　従来型レンズ付きフイルムユニットの分解斜視図である。
　【符号の説明】
　２０　ユニット本体
　２１　本体基部
　２１ｂ　フイルムロール室
　２２　露光ユニット
　２３　ストロボユニット
　２８　プリント基板
　２９　発光ユニット